(57)【要約】  複数の蓄電装置を並列運転させる場合に、他の装置等を使用せずに、各蓄電装置の劣化の度合いを平均化する。蓄電システムは、系統に接続され負荷に電力を供給する複数の蓄電装置と、系統からの順潮流を検出する検出器とを備える。複数の蓄電装置は、系統から供給される電力により充電される複数の蓄電池と、複数の蓄電池の充放電をそれぞれ制御する複数の電力制御部とを備える。各電力制御部は、各蓄電池の状態に基づいて、各蓄電池に放電を開始させる条件を設定する。
2017056503.tif 000002
【特許請求の範囲】
【請求項１】
系統に接続され負荷に電力を供給する複数の蓄電装置と、
前記系統からの順潮流を検出する検出器と、を備え、
前記複数の蓄電装置は、
前記系統から供給される電力により充電される複数の蓄電池と、
前記複数の蓄電池の充放電をそれぞれ制御する複数の電力制御部と、を備え、
前記各電力制御部は、前記各蓄電池の状態に基づいて、前記各蓄電池に放電を開始させる条件を設定する、蓄電システム。
【請求項２】
前記条件は、順潮流を検出してから前記蓄電池に放電を開始させるまでの待機時間である、請求項１に記載の蓄電システム。
【請求項３】
前記各蓄電池の状態は、前記各蓄電池の充電状態であり、前記各電力制御部は、前記充電状態が良いほど、前記待機時間を短く設定する、請求項２に記載の蓄電システム。
【請求項４】
前記各蓄電池の状態は、前記各蓄電池の充放電回数であり、前記各電力制御部は、前記充放電回数が少ないほど、前記待機時間を短く設定する、請求項２に記載の蓄電システムの制御方法。
【請求項５】
前記各蓄電池の状態は、前記各蓄電池が前回放電を行ってからの経過時間であり、前記各電力制御部は、前記経過時間が長いほど、前記待機時間を短く設定する、請求項２に記載の蓄電システム。
【請求項６】
前記各蓄電池の状態は、前記各蓄電池における総充放電時間であり、前記各電力制御部は、前記総充放電時間が短いほど、前記待機時間を短く設定する、請求項２に記載の蓄電システム。
【請求項７】
前記各蓄電池の状態は、前記各蓄電池の充電状態、前記各蓄電池の充放電回数、前記各蓄電池が前回放電を行ってからの経過時間及び前記各蓄電池における総充放電時間のいずれか２つ以上の組み合わせであり、前記各電力制御部は、前記待機時間を、前記組み合わせに基づき設定する、請求項２に記載の蓄電システム。
【請求項８】
前記条件は、前記各蓄電池に放電を開始させる順潮流閾値である、請求項１に記載の蓄電システム。
【請求項９】
前記各蓄電池の状態は、前記各蓄電池の充電状態であり、前記各電力制御部は、前記充電状態が高いほど、前記順潮流閾値を低く設定する、請求項８に記載の蓄電システム。
【請求項１０】
前記各蓄電池の状態は、前記各蓄電池の充放電回数であり、前記各電力制御部は、前記充放電回数が少ないほど、前記順潮流閾値を低く設定する、請求項８に記載の蓄電システム。
【請求項１１】
前記各蓄電池の状態は、前記各蓄電池が前回放電を行ってからの経過時間であり、前記各電力制御部は、前記経過時間が長いほど、前記順潮流閾値を低く設定する、請求項８に記載の蓄電システム。
【請求項１２】
前記各蓄電池の状態は、前記各蓄電池における総充放電時間であり、前記各電力制御部は、前記総充放電時間が短いほど、前記順潮流閾値を低く設定する、請求項８に記載の蓄電システム。
【請求項１３】
前記各蓄電池の状態は、前記各蓄電池の充電状態、前記各蓄電池の充放電回数、前記各蓄電池が前回放電を行ってからの経過時間及び前記各蓄電池における総充放電時間のいずれか２つ以上の組み合わせであり、前記各電力制御部は、前記順潮流閾値を、前記組み合わせに基づき設定する、請求項８に記載の蓄電システム。
【請求項１４】
系統に接続され負荷に電力を供給する蓄電装置であって、
放電により前記負荷に電力を供給する蓄電池と、
前記蓄電池の充放電を制御する電力制御部と、を備え、
前記電力制御部は、前記蓄電池の状態に基づいて、前記蓄電池に放電を開始させる条件を設定する、蓄電装置。
【請求項１５】
蓄電池を有する複数の蓄電装置と、系統からの順潮流を検出する検出器とを備える蓄電システムの制御方法であって、
各蓄電池の状態に基づいて、前記各蓄電池に放電を開始させる条件を設定するステップと、
前記検出器は、から順潮流を検出すると、前記条件に応じて前記各蓄電池から放電を行うステップと、
を含む蓄電システムの制御方法。
【発明の詳細な説明】
【関連出願へのクロスリファレンス】
【０００１】
本出願は、日本国特許出願２０１５−１９２１８８号（２０１５年９月２９日出願）の優先権を主張するものであり、当該出願の開示全体を、ここに参照のために取り込む。
【技術分野】
【０００２】
本発明は、蓄電システム、蓄電装置及び蓄電システムの制御方法に関する。
【背景技術】
【０００３】
近年、蓄電装置の出力をより安定化させるために、複数の蓄電装置を需要家施設等に設置させる要求が高まってきている。特許文献１に記載の蓄電システムでは、制御装置によって、各蓄電装置の蓄電池の充電状態（ＳＯＣ（State Of Charge））及び放電回数の監視を行う。さらに、特許文献１に記載の蓄電システムでは、制御装置が、各蓄電池の状態に応じて、優先順位の高い蓄電池から順番に放電するように制御する。
【先行技術文献】
【特許文献】
【０００４】
【特許文献１】特開２０１３−１９２３２７号公報
【発明の概要】
【０００５】
本開示の一実施形態に係る蓄電システムは、系統に接続され負荷に電力を供給する複数の蓄電装置と、該系統からの順潮流を検出する検出器とを備える。前記複数の蓄電装置は、前記系統から供給される電力により充電される複数の蓄電池と、前記複数の蓄電池の充放電をそれぞれ制御する複数の電力制御部とを備える。前記各電力制御部は、前記各蓄電池の状態に基づいて、前記各蓄電池に放電を開始させる条件を設定する。
【０００６】
本開示の一実施形態に係る蓄電装置は、系統に接続され負荷に電力を供給する。前記蓄電装置は、放電により前記負荷に電力を供給する蓄電池と、前記蓄電池の充放電を制御する電力制御部とを備える。前記電力制御部は、前記蓄電池の状態に基づいて、前記蓄電池に放電を開始させる条件を設定する。
【０００７】
本開示の一実施形態に係る蓄電システムの制御方法は、蓄電池を有する複数の蓄電装置と、系統からの順潮流を検出する検出器とを備える蓄電システムの制御方法である。該蓄電システムの制御方法は、各蓄電池の状態に基づいて、前記各蓄電池に放電を開始させる条件を設定するステップを含む。さらに、蓄電システムの制御方法は、前記検出器から順潮流を検出すると、前記条件に応じて前記各蓄電池から放電を行うステップを含む。
【図面の簡単な説明】
【０００８】
【図１】本開示の第１の実施形態に係る蓄電システムの構成の一例を示す図である。
【図２】本開示の第１の実施形態に係る蓄電システムの動作の一例を示すシーケンス図である。
【図３】本開示の第２の実施形態に係る蓄電システムの動作の一例を示すシーケンス図である。
【発明を実施するための形態】
【０００９】
需要家施設と電力事業者との契約内容によっては、再生可能エネルギーを利用していない蓄電池の電力を、系統（電力事業者）へ逆潮流できない場合がある。この場合、蓄電池を有する蓄電装置を系統へ接続する際、蓄電装置から系統への逆潮流を防止するため、蓄電装置には、系統との間の電流を検出するための電流センサが設けられる。そして、蓄電装置は、系統への逆潮流を防ぐために、電流センサに所定の順潮流（系統から需要家施設の方向に流れる電流）が流れるように蓄電池の充放電制御を行う。例えば、電流センサに流れる電流が所定の順潮流より小さい場合、蓄電装置は、逆潮流を防止するため、放電を停止する。また、例えば、電流センサに流れる電流が所定の順潮流より大きい場合、蓄電装置は、蓄電池に電力を放電させ、需要家施設の電気機器等の負荷に供給する。
【００１０】
ここで、複数の蓄電装置を系統と負荷との間に接続して並列運転させる場合、各蓄電装置には、それぞれ、自装置に対応する電流センサが設けられる。そして、各蓄電装置は、自装置に対応する電流センサに所定の順潮流が流れるように、各蓄電装置の蓄電池の充放電を制御する。このとき、例えば、蓄電装置の電流センサの配置によって、負荷側の蓄電装置が優先的に充放電を多く行ってしまう傾向がある。例えば、負荷側に設けられた蓄電装置が、自装置に対応する電流センサに所定の順潮流が流れるように、自装置の蓄電池の充放電を制御したとする。そうすると、系統側に設けられた蓄電装置の電流センサは、既に負荷側の蓄電装置によって制御された所定の順潮流を検出することになり、蓄電池の放電を行わなくなる。従って、この場合、負荷側に設けられた蓄電装置の蓄電池ほど、充放電を繰り返す回数が多くなる。
【００１１】
蓄電池は、充放電を繰り返す回数が多いほど、劣化が早く進行してしまう傾向がある。例えば、負荷側に設けられた蓄電装置が優先的に充放電を行う場合は、負荷側に設けられた蓄電装置の蓄電池ほど、劣化が早く進行するおそれがある。このように、複数の蓄電装置を並列運転させる場合に、逆潮流を防止するために電流センサを設けると、各蓄電池の劣化の度合いが均等にならないおそれがある。
【００１２】
（第１の実施形態）
まず、本開示の第１の実施形態について説明する。なお、以下では、上述の蓄電池から系統への逆潮流を防止する制御において、蓄電池から放電させるか否かの判断基準となる所定の順潮流を、順潮流閾値と称する。また、第１の実施形態では、順潮流閾値を０[Ｗ]として説明するが、順潮流閾値には０[Ｗ]以外の値を用いることも可能である。
【００１３】
[システム構成]
本開示の第１の実施形態に係る蓄電システム１は、図１に示すように、電流センサ（検出器）１０，１１と、蓄電装置２０，２１とを備える。蓄電システム１は、系統７０に接続して用いられ、負荷８０に電力を供給する。負荷８０は、例えば電気機器等であり、蓄電システム１及び系統７０から供給された電力を消費する。なお、図１に示す蓄電システム１は、２つの蓄電装置２０，２１を備えている。蓄電システム１が備える蓄電装置の数は、３つ以上であってもよい。また、図１において、各機能ブロックを結ぶ実線は電力線を示す。また、図１において、破線は制御線及び信号線を示す。制御線及び信号線が示す接続は、有線接続であってもよいし、無線接続であってもよい。
【００１４】
電流センサ１０，１１は、系統７０からの電流において、互いに同じ順潮流及び逆潮流の電流値を検出する位置に設けられる。図１において、電流センサ１０，１１は、系統７０と蓄電装置２０との間に設けられている。電流センサ１０，１１は、それぞれ、系統７０からの順潮流又は系統７０への逆潮流の値を検出し、その検出した値を、蓄電装置２０，２１に送信する。
【００１５】
なお、図１では、系統７０と蓄電装置２０との間に２つの電流センサ１０，１１を設ける例が示されているが、系統７０と蓄電装置２０との間に設けられる電流センサの数は１つであってもよい。系統７０と蓄電装置２０との間に設けられる電流センサが１つである場合は、その１つの電流センサが、検出した値を、蓄電装置２０，２１に送信する。
【００１６】
蓄電装置２０，２１は、系統７０に接続され、負荷８０に電力を供給する。蓄電装置２０は、電力変換部３０と、蓄電池４０と、記憶部５０と、電力制御部６０とを有する。蓄電装置２１は、電力変換部３１と、蓄電池４１と、記憶部５１と、電力制御部６１とを有する。
【００１７】
電力変換部３０，３１は、それぞれ、電力制御部６０，６１の制御に基づき、蓄電池４０，４１に放電させる際、蓄電池４０，４１が放電した直流電力を交流電力に変換し、負荷８０に供給する。また、電力変換部３０，３１は、それぞれ、電力制御部６０，６１の制御に基づき、系統７０から供給される交流電力を直流電力に変換して、それぞれ、蓄電池４０，４１に供給する。これにより、蓄電池４０，４１が充電される。
【００１８】
電力制御部６０，６１は、それぞれ、電力変換部３０，３１を介し、蓄電池４０，４１の充放電を制御する。電力制御部６０，６１は、それぞれ、蓄電池４０，４１の状態に基づき、蓄電池４０，４１に放電を開始させる条件を設定し、その設定した条件に従って、蓄電池４０，４１の充放電制御を行っている。なお、この処理は、電力制御部６０，６１が備える好適なプロセッサを含む制御部によって行われる。この処理の詳細については後述する。
【００１９】
蓄電池４０，４１は、それぞれ、充電された電力を放電することにより、直流電力を、電力変換部３０，３１に供給する。また、蓄電池４０，４１は、それぞれ、系統７０から供給される電力により充電される。蓄電池４０，４１は、例えば、リチウムイオン蓄電池、ニッケル水素電池及び鉛蓄電池等である。また、蓄電池４０，４１に、Ｖ２Ｈ（Vehicle to Home）に利用される蓄電池が、用いられてもよい。
【００２０】
記憶部５０，５１は、それぞれ、蓄電池４０，４１の状態を含む情報、及び、電力制御部６０，６１の各機能を実現する処理内容を記述したプログラムを記憶している。蓄電池４０，４１の状態を含む情報については後述する。
【００２１】
以下、電力制御部６０，６１による蓄電池４０，４１に放電を開始させる条件の設定処理について説明する。
【００２２】
第１の実施形態において、上記放電を開始させる条件は、電流センサ１０，１１によって順潮流を検出してから各蓄電池４０，４１に放電を開始させるまでの待機時間である。第１の実施形態では、各蓄電池４０，４１の状態によって、各蓄電池４０，４１の使用頻度を判断し、この使用頻度が低いほど、各蓄電池４０，４１における待機時間を短く設定する。このように、使用頻度が低いほど、放電を開始するまでの待機時間を短く設定することで、使用頻度が低い蓄電池から放電されるようになる。ここで、各蓄電池４０，４１の状態の例として、各蓄電池４０，４１の充電状態、各蓄電池４０，４１の充放電回数、各蓄電池４０，４１が前回放電を行ってからの経過時間、各蓄電池４０，４１の総充放電時間が挙げられる。以下、これらの状態例を用いて待機時間を設定する例を、電力制御部６０を例に説明する。
【００２３】
電力制御部６０は、例えば、蓄電池４０の充電状態に基づいて待機時間を設定する場合、記憶部５０に記憶されている蓄電池４０の充電状態を参照し、充電状態が良いほど、蓄電池４０の待機時間を短く設定する。なお、充電状態が良いとは、充電率（満充電に対する充電残量）が高いことである。また、電力制御部６０は、例えば、蓄電池４０の充放電回数に基づいて待機時間を設定する場合、記憶部５０に記憶されている蓄電池４０の充放電回数を参照し、充放電回数が少ないほど、蓄電池４０の待機時間を短く設定する。また、電力制御部６０は、蓄電池４０が前回放電を行ってからの経過時間に基づいて待機時間を設定する場合、記憶部５０に記憶されている蓄電池４０の経過時間を参照し、経過時間が長いほど、蓄電池４０の待機時間を短く設定する。また、電力制御部６０は、蓄電池４０における総充放電時間に基づいて待機時間を設定する場合、記憶部５０に記憶されている蓄電池４０の総充放電時間を参照し、総充放電時間が短いほど、蓄電池４０の待機時間を短く設定する。
【００２４】
なお、電力制御部６０は、例えば、蓄電池４０の充電状態、蓄電池４０の充放電回数、蓄電池４０が前回放電を行ってからの経過時間及び蓄電池４０における総充放電時間のいずれか２つ以上の組み合わせを用いて、待機時間を設定してもよい。電力制御部６０は、例えば、蓄電池４０において、充電状態と充放電回数とを組み合わせて待機時間を設定する場合、充電状態に基づいて設定される待機時間と、充放電回数に基づいて設定される待機時間とに、それぞれ適切な重み付けする。そして、電力制御部６０は、重み付けを行った後、それらを合算することにより、待機時間を算出する。
【００２５】
また、電力制御部６０は、上述の待機時間の設定を定期的に行う。
【００２６】
そして、電力制御部６０，６１は、それぞれ、電流センサ１０，１１から取得した値から順潮流を検出すると、各自で設定した待機時間だけ待機する。そして、電力制御部６０，６１は、それぞれ、設定した待機時間が経過すると、蓄電池４０，４１に放電を開始させる。
【００２７】
なお、待機時間の設定は、電力制御部６０，６１が互いに通信を行い、短い待機時間と長い待機時間とを定期的に交互に設定するようにしてもよい。また、ＨＥＭＳ（Home Energy Management System）が、各電力制御部６０，６１の待機時間を設定してもよい。
【００２８】
以下、第１の実施形態に係る蓄電システム１の動作について説明する。
【００２９】
[システム動作]
以下では、蓄電池４０，４１の状態に基づき、上述の電力制御部６０，６１の処理によって、蓄電装置２０における待機時間は５秒に設定されているものとする（つまり、蓄電池４０の使用頻度の方が、蓄電池４１の使用頻度よりも低いものとする）。また、蓄電装置２１における待機時間は１０秒に設定されているものとする。なお、図２では、順潮流をワット[Ｗ]により表記するが、電流／電力の測定・変換は当業者が適宜行うことができるものである。例えば、電力制御部６０，６１は、それぞれ、電流センサ１０，１１から取得した電流値と既知の電圧値とに基づき、順潮流の電力値[Ｗ]を算出する。
【００３０】
負荷８０の消費電力が増加し、電流センサ１０，１１には順潮流が流れるようになる。すると、電流センサ１０，１１は、それぞれ自装置に流れる順潮流を検出し（ステップＳ１０１）、その検出した値を蓄電装置２０，２１に送信する。
【００３１】
その後、蓄電装置２０，２１の電力制御部６０，６１は、それぞれ、電流センサ１０，１１から取得した値によって、系統７０から順潮流が流れている状態であることを検出する（ステップＳ１０２，Ｓ１０３）。すると、蓄電装置２０は、５秒間待機する（ステップＳ１０４）。また、蓄電装置２１は、１０秒間待機する（ステップＳ１０５）。
【００３２】
ステップＳ１０４の処理から５秒経過後、蓄電装置２０の電力制御部６０は、蓄電装置２０の蓄電池４０に放電を開始させ（ステップＳ１０６）、電力を負荷８０に供給する。
【００３３】
電流センサ１０，１１は、それぞれ自装置において電流を検出し（ステップＳ１０７）、その検出した値を蓄電装置２０，２１に送信する。ステップＳ１０６の処理により、電流センサ１０，１１を介して取得する電力は０[Ｗ]となる。
【００３４】
その後、蓄電装置２０の電力制御部６０は、電流センサ１０を介して取得した０[Ｗ]から、負荷８０の消費電力と蓄電装置２０から供給される電力とがバランスが取れた状態であることを検出する（ステップＳ１０８）。同様に、蓄電装置２１の電力制御部６１も、電流センサ１１を介して取得した０[Ｗ]から、負荷８０の消費電力と蓄電装置２１から供給される電力とがバランスが取れた状態であることを検出する（ステップＳ１０９）。
【００３５】
このようにステップＳ１０１〜Ｓ１０９の処理によって、負荷８０の消費電力が１つの蓄電装置２０又は蓄電装置２１からの供給電力で補える場合は、待機時間が５秒と短く設定されている蓄電装置２０から優先的に電力が供給される。
【００３６】
この後、負荷８０の消費電力がさらに増加し、電流センサ１０，１１には再び順潮流が流れるようになる。すると、電流センサ１０，１１は、それぞれ自装置に流れる順潮流の値を検出し（ステップＳ１１０）、その検出した値を蓄電装置２０，２１に送信する。
【００３７】
その後、蓄電装置２０，２１の電力制御部６０，６１は、それぞれ、電流センサ１０，１１を介して取得した値によって、系統７０から順潮流が流れている状態であることを検出する（ステップＳ１１１，Ｓ１１２）。すると、蓄電装置２０は、５秒間待機する（ステップＳ１１３）。また、蓄電装置２１は、１０秒間待機する（ステップＳ１１４）。
【００３８】
ステップＳ１１３の処理から５秒経過後、蓄電装置２０の電力制御部６０は、蓄電装置２０の蓄電池４０に放電を開始させ（ステップＳ１１５）、電力を負荷８０に供給する。
【００３９】
また、ステップＳ１１４の処理から１０秒経過後、蓄電装置２１の電力制御部６１は、蓄電装置２１の蓄電池４１に放電を開始させ（ステップＳ１１６）、電力を負荷８０に供給する。
【００４０】
電流センサ１０，１１は、それぞれ自装置において電流を検出し（ステップＳ１１７）、その検出した値を蓄電装置２０，２１に送信する。ステップＳ１１５，Ｓ１１６の処理により、電流センサ１０，１１を介して取得する電力は０[Ｗ]となる。
【００４１】
このようにステップＳ１１０〜Ｓ１１７の処理によって、負荷８０の消費電力が大きい場合は、蓄電装置２０，２１の両方によって、負荷８０に電力が供給される。またこの際、使用頻度の低い蓄電池４０からの放電を行った後に、使用頻度の高い蓄電池４１の放電を行うことで、使用頻度の高い蓄電池４１からの放電電力量を少なくし、蓄電池４１の放電深度を浅くすることができる。これにより、使用頻度の高い蓄電池４１の劣化の進行を遅らせることができる。
【００４２】
以上のように、第１の実施形態に係る蓄電システム１では、他の装置等を使用せずに、各蓄電池４０，４１の状態に基づき、使用頻度が低い蓄電池４０ほど、放電を開始させるまでの待機時間を短く設定する。これにより、蓄電システム１では、使用頻度が低い蓄電池４０から使用されるようになり、蓄電装置２０，２１の劣化の度合いを平均化することができる。さらにこれにより、蓄電システム１全体としての信頼性が向上し、電力の安定供給が可能になる。
【００４３】
さらに、蓄電システム１に新規な蓄電装置を増設した場合であっても、蓄電システム１では、上述の処理により、使用頻度の低い新規な蓄電装置から使用されるようになる。これにより、蓄電システム１に新規な蓄電装置を増設した場合であっても、蓄電システム１の蓄電装置の劣化の度合いを平均化することができる。
【００４４】
また、第１の実施形態に係る蓄電システム１では、上述の処理を、他の装置等を使用せずに蓄電装置２０，２１自身で行っている。そのため、蓄電システム１では、他の装置を使用することによる設備コストの増大を防ぐことができる。
【００４５】
（第２の実施形態）
第２の実施形態において、上記放電を開始させる条件は、蓄電池に放電を開始させる順潮流閾値であり、この順潮流閾値によって、優先的に放電を行う蓄電装置を設定する。
【００４６】
[システム構成]
第２の実施形態に係る蓄電システムは、第１の実施形態に係る蓄電システム１と同様の構成を採用できるため、以下では、図１を参照し、第１の実施形態との相違点について主に説明する。
【００４７】
第２の実施形態では、各蓄電池４０，４１の状態によって、各蓄電池４０，４１の使用頻度を判断し、この使用頻度が低いほど、各蓄電池４０，４１における順潮流閾値を低く設定する。このように、使用頻度が低いほど、放電を開始させる順潮流閾値を低く設定することで、使用頻度が低い蓄電池から放電されるようになる。第１の実施形態と同様に、各蓄電池４０，４１の状態の例として、各蓄電池４０，４１の充電状態、各蓄電池４０，４１の充放電回数、各蓄電池４０，４１が前回放電を行ってからの経過時間、各蓄電池４０，４１の総充放電時間が挙げられる。以下、これらの状態例を用いて順潮流閾値を設定する例を、電力制御部６０を例に説明する。
【００４８】
電力制御部６０は、例えば、蓄電池４０の充電状態に基づいて順潮流閾値を設定する場合、記憶部５０に記憶されている蓄電池４０の充電状態を参照し、充電状態が高いほど、蓄電池４０の順潮流閾値を低く設定する。また、電力制御部６０は、例えば、蓄電池４０の充放電回数に基づいて順潮流閾値を設定する場合、記憶部５０に記憶されている蓄電池４０の充放電回数を参照し、充放電回数が少ないほど、蓄電池４０の順潮流閾値を低く設定する。また、電力制御部６０は、蓄電池４０が前回放電を行ってからの経過時間に基づいて順潮流閾値を設定する場合、記憶部５０に記憶されている蓄電池４０の経過時間を参照し、経過時間が長いほど、蓄電池４０の順潮流閾値を低く設定する。また、電力制御部６０は、蓄電池４０における総充放電時間に基づいて順潮流閾値を設定する場合、記憶部５０に記憶されている蓄電池４０の総充放電時間を参照し、総充放電時間が短いほど、蓄電池４０の順潮流閾値を低く設定する。
【００４９】
なお、電力制御部６０は、例えば、蓄電池４０の充電状態、蓄電池４０の充放電回数、蓄電池４０が前回放電を行ってからの経過時間及び蓄電池４０における総充放電時間のいずれか２つ以上の組み合わせを用いて、順潮流閾値を設定してもよい。電力制御部６０は、例えば、蓄電池４０において、充電状態と充放電回数とを組み合わせて順潮流閾値を設定する場合、まず、充電状態に基づいて設定される順潮流閾値と、充放電回数に基づいて設定される順潮流閾値とに、それぞれ適切な重み付けを行う。そして、電力制御部６０は、重み付けを行った後、それらを合算することにより、順潮流閾値を算出する。
【００５０】
また、電力制御部６０は、上述の順潮流閾値の設定を定期的に行う。
【００５１】
そして、電力制御部６０，６１は、それぞれ、電流センサ１０，１１から取得した順調流の値が、各自で設定した順潮流閾値より大きい状態であることを検出すると、蓄電池４０，４１に放電を開始させる。また、電力制御部６０，６１は、それぞれ、電流センサ１０，１１から取得した順潮流の値が、各自で設定した順潮流閾値より小さい状態であることを検出した場合、蓄電池４０，４１からの放電を行わない。
【００５２】
なお、順潮流閾値の設定は、電力制御部６０，６１が互いに通信を行い、低い順潮流閾値と高い順潮流閾値とを定期的に交互に設定するようにしてもよい。また、ＨＥＭＳが、順潮流閾値を設定してもよい。
【００５３】
以下、第２の実施形態に係る蓄電システム１の動作について図３を用いて説明する。
【００５４】
[システム動作]
図３では、順潮流及び順潮流閾値をワット[Ｗ]により表記するが、電流／電力の測定・変換は当業者が適宜行うことができるものである。また、以下では、蓄電池４０，４１の状態に基づき、上述の電力制御部６０，６１の処理によって、蓄電装置２０の順潮流閾値が７０[Ｗ]、蓄電装置２１の順潮流閾値が１００[Ｗ]に設定されているものとする。例えば、電力制御部６０，６１は、それぞれ、電流センサ１０，１１から取得した電流値と既知の電圧値とに基づき、順潮流の電力値[Ｗ]を算出する。
【００５５】
負荷８０の消費電力が増加し、電流センサ１０，１１には、順潮流８０[Ｗ]が流れるようになる。すると、電流センサ１０，１１は、それぞれ自装置に流れる順潮流を検出し（ステップＳ２０１）、その検出した値を蓄電装置２０，２１に送信する。
【００５６】
その後、蓄電装置２０の電力制御部６０は、電流センサ１０を介して取得する順潮流８０[Ｗ]が、自装置の順潮流閾値７０[Ｗ]より大きい状態であることを検出し（ステップＳ２０２）、蓄電池４０に放電を開始させる（ステップＳ２０４）。また、蓄電装置２１の電力制御部６１は、電流センサ１１を介して取得する順潮流８０[Ｗ]が、自装置の順潮流閾値１００[Ｗ]より小さい状態であることを検出するため（ステップＳ２０３）、蓄電池４１からの放電を行わない。
【００５７】
ステップＳ２０４の処理により、電流センサ１０，１１には順潮流６８[Ｗ]が流れるようになる。すると、電流センサ１０，１１は、それぞれ自装置に流れる順潮流を検出し（ステップＳ２０５）、その検出した値を蓄電装置２０，２１に送信する。
【００５８】
その後、蓄電装置２０，２１の電力制御部６０，６１は、電流センサ１０を介して取得する順潮流６８[Ｗ]が、自装置の順潮流閾値７０[Ｗ]，１００[Ｗ]より小さい状態であることを検出する（ステップＳ２０６，Ｓ２０７）。これにより、蓄電池４０，４１からの放電は行われない。
【００５９】
このようにステップＳ２０１〜Ｓ２０７の処理によって、負荷８０の消費電力が１つの蓄電装置２０又は蓄電装置２１からの供給電力で補える場合は、順潮流閾値が７０[Ｗ]と低く設定されている蓄電装置２０から優先的に電力が供給される。
【００６０】
この後、負荷８０の消費電力がさらに増加し、電流センサ１０，１１には順潮流２００[Ｗ]が流れるようになる。すると、電流センサ１０，１１は、それぞれ自装置に流れる順潮流を検出し（ステップＳ２０８）、その検出した値を蓄電装置２０，２１に送信する。
【００６１】
その後、蓄電装置２０の電力制御部６０は、電流センサ１０を介して取得する順潮流２００[Ｗ]が、自装置の順潮流閾値７０[Ｗ]より大きい状態であることを検出し（ステップＳ２０９）、蓄電池４０に放電を開始させる（ステップＳ２１１）。また、蓄電装置２１の電力制御部６１も、電流センサ１１を介して取得する順潮流２００[Ｗ]が、自装置の順潮流閾値１００[Ｗ]より大きい状態であることを検出し（ステップＳ２１０）、蓄電池４１に放電を開始させる（ステップＳ２１２）。
【００６２】
ステップＳ２１１，Ｓ２１２の処理により、電流センサ１０，１１には順潮流６８[Ｗ]が流れるようになる。すると、電流センサ１０，１１は、それぞれ自装置に流れる順潮流を検出し（ステップＳ２１３）、その検出した値を蓄電装置２０，２１に送信する。
【００６３】
このようにステップＳ２０８〜Ｓ２１３の処理によって、負荷８０の消費電力が大きい場合は、蓄電装置２０，２１の両方によって、負荷８０に電力が供給される。
【００６４】
以上のように、第２の実施形態に係る蓄電システム１では、他の装置等を使用せずに、各蓄電池４０，４１の状態に基づき、使用頻度が低い蓄電池４０，４１ほど、放電を開始させる順潮流閾値を低く設定する。これにより、蓄電システム１では、使用頻度が低い蓄電池４０から使用されるようになり、蓄電装置２０，２１の劣化の度合いを平均化することができる。さらにこれにより、蓄電システム１全体としての信頼性が向上し、電力の安定供給が可能になる。
【００６５】
なお、第２の実施形態において、その他の効果についても、第１の実施形態と同様の効果を得ることができる。
【００６６】
なお、上記では、需要家施設と電力事業者の間の契約内容によって、再生可能エネルギーを利用していない蓄電装置及び燃料電池装置等の電力を、系統（電力事業者）へ逆潮流させられない場合について説明した。しかしながら、本実施形態は、蓄電装置及び燃料電池装置等の電力を、系統（電力事業者）へ逆潮流させ得る場合についても適用可能である。
【００６７】
本開示の一実施形態を諸図面及び実施例に基づき説明してきたが、当業者であれば本開示に基づき種々の変形及び修正を行うことが容易であることに注意されたい。従って、これらの変形及び修正は本開示の範囲に含まれることに留意されたい。例えば、各構成部、各ステップ等に含まれる機能等は論理的に矛盾しないように再配置可能であり、複数の構成部及びステップ等を１つに組み合わせたり、或いは分割したりすることが可能である。
【００６８】
本開示内容の制御は、プログラム命令を実行可能なコンピュータシステムその他のハードウェアによって実行される、一連の動作として示される。コンピュータシステムその他のハードウェアには、例えば、汎用コンピュータ、ＰＣ（Personal Computer）、専用コンピュータ、ワークステーション、又はその他のプログラム可能なデータ処理装置が含まれる。各実施形態では、種々の動作は、プログラム命令（ソフトウェア）で実装された専用回路（例えば、特定機能を実行するために相互接続された個別の論理ゲート）によって実行されることに留意されたい。また、種々の動作は、１つ以上のプロセッサによって実行される論理ブロック及びプログラムモジュール等によっても実行されることに留意されたい。論理ブロック及びプログラムモジュール等を実行する一以上のプロセッサには、例えば、１つ以上のマイクロプロセッサ、ＣＰＵ（Central Processing Unit）、ＤＳＰ（Digital Signal Processor）が含まれる。また、一以上のプロセッサには、例えば、ＡＳＩＣ（Application Specific Integrated Circuit）、ＰＬＤ（Programmable Logic Device）、ＦＰＧＡ（Field Programmable Gate Array）が含まれる。また、一以上のプロセッサには、例えば、コントローラ、マイクロコントローラ、電子機器、ここに記載する機能を実行可能に設計されたその他の装置、及び／又は、これらいずれかの組合せが含まれる。ここに示す実施形態は、例えば、ハードウェア、ソフトウェア、ファームウェア、ミドルウェア、マイクロコード又はこれらいずれかの組合せによって実装される。
【００６９】
ここで用いられるネットワークには、他に特段の断りがない限りは、インターネット、アドホックネットワーク、ＬＡＮ(Local Area Network)、セルラーネットワーク、もしくは他のネットワーク又はこれらいずれかの組合せが含まれる。
【符号の説明】
【００７０】
１  蓄電システム
１０，１１  電流センサ（検出器）
２０，２１  蓄電装置
３０，３１  電力変換部
４０，４１  蓄電池
５０，５１  記憶部
６０，６１  電力制御部
７０  系統
８０  負荷
【図１】
2017056503.tif 000003
【図２】
2017056503.tif 000004
【図３】
2017056503.tif 000005
【国際調査報告】
2017056503.tif 000006
2017056503.tif 000007
2017056503.tif 000008
2017056503.tif 000009